(57)【特許請求の範囲】
【請求項１】
背面側に光源が設けられ、背面側から表面側に貫通する複数の光射出口が設けられて成るリフレクタと、前記光射出口には射出される光の一部を前記リフレクタ中央部の表面側に形成された装飾模様部に反射して光輝させると共に、一部を前記リフレクタの適宜の上方に前記リフレクタの装飾模様部を表面側に露出する開口を有するリング状に形成され、表面側にレンズカットが施されたインナーレンズに直射させる反射／直射レンズ部が設けられており、前記インナーレンズの更に上方にはハーフミラーが設けられ、前記ハーフミラーを覆っては透明部材で形成されたアウターレンズが設けられ、前記ハーフミラーからの反射光で前記リフレクタと前記インナーレンズとを照射し、前記ハーフミラーからの透過光で前記アウターレンズを介して外部を照明することを特徴とする照明灯器。
【請求項２】
前記アウターレンズに対しても、点灯時に前記リフレクタ、及び、前記インナーレンズの見栄えを損なわない範囲にレンズカットが施されていることを特徴とする請求項１記載の照明灯具。
【発明の詳細な説明】
【技術分野】
【０００１】
本発明は、例えば、庭園灯、街路灯など、屋外などでの一般照明用に使用され、デザイン面が重視される照明灯器に係るものである。
【背景技術】
【０００２】
従来のこの種の照明灯具９０の構成の例を示すものが図５であり、金属、樹脂など不透明で円筒状の部材で形成された支柱９１と、同様に不透明部材で蓋状に形成された蓋体９２との間には、透明部材で形成されたカバー９３が嵌め込まれて、灯体が構成されている。
【０００３】
そして、前記カバー９３の内側には、例えば乳白色の部材で略円錐形に形成されたセード９４が取付けられ、前記セード９４の内部には蛍光灯、白熱電球など適宜な光源９５が取付けられていて、外部からは光源９５が直視できないようにされている。
【０００４】
また、この従来例では、前記蓋体９２には、外部からの直視が不可能な位置に複数のＬＥＤランプ９６が取付けられている。また、前記支柱９１には、外界の明るさを検出し電源の投入切断を行う自動点滅器９７、及び、人間の接近を検出する近接検出装置９８が設けられている。
【０００５】
そして、周囲が暗くなれば、前記自動点滅器９７が動作して、消費電力の少ないＬＥＤランプ９６を常夜灯として点灯しておき、もしも、人の接近が前記近接検出装置９８に検出されれば、より明るい蛍光灯、白熱電球などの光源９５を点灯させて、視界を確保できるようにするものである。
【特許文献１】特開２００４−２４７１５７号公報
【発明の開示】
【発明が解決しようとする課題】
【０００６】
しかしながら、前記した従来の構成の照明灯器においては、上端に不透明部材で形成された蓋体９２が設けられているために、セード９４に対して如何に意匠的に工夫を凝らしても、昼間の非点灯時においても、夜間の点灯時においても、上方から見たときには美観が感じられず、例えば、エクステリアとして庭先などに設置したときにも、装飾性に乏しいという問題点を生じていた。
【課題を解決するための手段】
【０００７】
本発明は、上記した従来の照明灯器に生じていた課題を解決するための具体的手段として、背面側に光源が設けられ、背面側から表面側に貫通する複数の光射出口が設けられて成るリフレクタと、前記光射出口には射出される光の一部を前記リフレクタ中央部の表面側に形成された装飾模様部に反射して光輝させると共に、一部を前記リフレクタの適宜の上方に前記リフレクタの装飾模様部を表面側に露出する開口を有するリング状に形成され、表面側にレンズカットが施されたインナーレンズに直射させる反射／直射レンズ部が設けられており、前記インナーレンズの更に上方にはハーフミラーが設けられ、前記ハーフミラーを覆っては透明部材で形成されたアウターレンズが設けられ、前記ハーフミラーからの反射光で前記リフレクタと前記インナーレンズとを照射し、前記ハーフミラーからの透過光で前記アウターレンズを介して外部を照明することを特徴とする照明灯器を提供することで課題を解決するものである。
【発明の効果】
【０００８】
本発明により、従来は、例えばセードの保持部の隠蔽などを目的に不透明部材で形成されていた蓋体を透明化し、更に、リフレクタ、インナーレンズとの間にハーフミラーを設置したことで、昼間、夜間ともに上方からも観視できるものとして、一層に見栄えを向上させるという効果を奏する。
【発明を実施するための最良の形態】
【０００９】
つぎに、本発明を図に示す実施形態に基づいて詳細に説明する。図１に示すものは、本発明に係る照明灯具であり、この照明灯具１は、例えば、金属でパイプ状に形成された支柱２の一方の端部に発光部３が設けられ、庭園灯、門灯などエクステリアとして使用するのに適する形状とされている。
【００１０】
ここで、本発明においても、前記発光部３には、光を外部に放出するための透明カバー４が設けられるものとされているが、本発明においては、前記透明カバー４は、端面部４ａも透明とするように、樹脂、ガラスなど透明な部材の一体成形などにより略キャップ状として形成されている。
【００１１】
そして、前記支柱２の端部に被着するときには、前記透明カバー４はパッキン（図示せず）などを挟んで取付けられるなど、設置される環境に対して相応の防水処理が行われていることが好ましい。このようにすることで、庭園などに設置した場合、前記発光部３が直接に雨滴などに曝されることはないものとなる。
【００１２】
前記発光部３は、前記透明カバー４の内径に適宜な手段で取付け可能な形状、例えば、上面、若しくは、裏面から見た形状を略円形状としたリフレクタ３１と、例えば、ＬＥＤランプである光源３２と、インナーレンズ３３と、前記リフレクタ３１と同様に前記透明カバー４の内径とほぼ同じ径の略円形状としたハーフミラー３４と、反射／直射レンズ３５とから構成されている。
【００１３】
次いで、上記発光部３の構成を更に詳細に説明すると、前記リフレクタ３１の外周部など適宜な位置には、このリフレクタ３１を裏面から表面に貫通する複数の光射出口３１ａが設けられており、それぞれの前記光射出口３１ａの背面側、即ち、支柱２側の面には、例えば白色発光ダイオードなどの光源３２が取付けられている。
【００１４】
そして、前記光射出口３１ａの表面側には、透明樹脂などで形成された反射／直射レンズ３５が取付けられており、前記光源３２から、前記光射出口３１ａを表面側に通過してくる光の一部を捕捉し、前記リフレクタ３１の表面側に突出して形成された装飾模様部３１ｂにに向けて光を照射する。
【００１５】
このとき、前記リフレクタ３１の適宜の上方には、リング状などとして形成され、装飾的な紋様のレンズカット３３ａがカットされたインナーレンズ３３が設けられており、前記反射／直射レンズ３５は前記光射出口３１ａを通過する光源３２からの光の一部で直接に前記インナーレンズ３３を照射する。
【００１６】
尚、前記インナーレンズ３３には、適宜数の取付脚部３３ｂが設けられており、前記リフレクタ３１とは接着、嵌め込み、或いは、溶着など適宜な手段で、リフレクタ３１とインナーレンズ３３との一体化が行われている。また、上記の構成においては、前記リフレクタ３１は表面側には、例えば、金属蒸着などによる光輝処理が行われて反射率が高いものとされていることが装飾効果の向上の面などから好ましい。
【００１７】
以上説明の構成に加えて、本発明では、図４にも示されているように、前記インナーレンズ３３の更に上方に、ハーフミラー３４を設けるものであり、このハーフミラー３４は、前記透明カバー４の頂面４ａと、前記インナーレンズ３３とのほぼ中間の位置に設けられる。このときに、前記前記インナーレンズ３３は、前記インナーレンズ３３の側が適宜の曲率を持つ凹面鏡となるような形状とされていることが好ましい。
【００１８】
尚、本発明の照明灯器１においても、従来例のものと同様に、周囲が暗くなると自動的に点滅を行わせる自動点滅器、或いは、訪問者などが接近するのを検知して自動的に点灯させる近接検出装置などを取付けるのは自由である。
【００１９】
次いで、本発明に係る照明灯器１の作用、効果について説明を行う。まず、光源３２を点灯させると、前記発光部３のリフレクタ３１の裏面に設けられた光源３２からの光が、前記光射出口３１ａを通過し、一部は前記反射／直射レンズ３５に捕捉されて、リフレクタ３１に形成された前記装飾模様部３１ｂを照明する。
【００２０】
また、前記反射／直射レンズ３５に捕捉されなかった光は、そのまま直進し、前記インナーレンズ３３に達して、このインナーレンズ３３に施されたレンズカット３３ａで拡散されるなどして光輝する。よって、前記光源３２の設けられる数を多くすれば、リフレクタ３１の装飾模様部３１ｂ、及び、インナーレンズ３３のレンズカット３３ａは、ほぼ均一な明るさで光輝するものとなる。
【００２１】
しかしながら、現実には、前記装飾模様部３１ｂの形状、或いは、レンズカット３３ａの形状などにより均一に光輝させようとすると、非常に多くの光源３２の数を必要とするなどコストアップ、或いは、消費電力の増大などの問題を生じる。
【００２２】
そこで、本発明では、前記ハーフミラー３４を設けるものであり、例えば反射率５０％のハーフミラー３４であれば、前記装飾模様部３１ｂ、および、レンズカット３３ａで拡散された光の半分が、再び前記装飾模様部３１ｂ、および、レンズカット３３ａに向かい照射されるものとなる。
【００２３】
よって、上記装飾模様部３１ｂ、レンズカット３３ａなど発光部３における照明ムラは減少されるものとなり、この減少された状態が、前記ハーフミラー３４、および、透明カバー４を通して観視者に見えるものとなり、装飾面での表示品位は向上するものとなる。また、周囲がより明るい昼間時においては、本発明の照明灯器１の前記ハーフミラー３４は外光を反射して光輝するものとなり、夜間時とは別の美観を演出することができる。
【００２４】
尚、図１では、前記透明カバー４は、一定の肉厚の単純なキャップ状として示したが、本発明は、これを限定するものでななく、夜間の点灯時などに、リフレクタ３１、および、インナーレンズ３３の見栄えを損なわない範囲にレンズカットを設け、例えば、中間に非点灯時の照明灯器１自体の美感を向上させるなどは自在である。
【００２５】
図２に示すものは、本発明に係るリフレクタ３１の形状の一例を示すものであり、このリフレクタ３１には外周寄りの９箇所に光射出口３１ａが設けられており、上記にも説明したように、それぞれの光射出口３１ａの背面側には光源３２が設けられ、表面側には反射／直射レンズ３５（何れも図示は省略してある）が取付けられ、このリフレクタ３１の中心部に突出する装飾模様部３１ｂが形成されている。
【００２６】
よって、光源３２を点灯すると、前記反射／直射レンズ３５からの光に対しては、受光面積、受光角度などの相違により様々な輝度で光るものとなり、リフレクタ３１の中心部に光輝する立体的なの装飾模様部３１ｂが現れるものとなる。以上の説明からも明らかなように、前記装飾模様部３１ｂの形状は、設計者により自在に形状、明るさなどが設定できるものであるので、例えば、家紋など顧客の要望に合わせた紋様も表示可能である。
【００２７】
図３は、上記リフレクタ３１にインナーレンズ３３を組合わせた状態を示すものであり、前記リフレクタ３１の中央部に設けられた装飾模様部３１ｂが光輝すると共に、その装飾模様部３１ｂの上方ではインナーレンズ３３も光輝し、一層に立体感が向上し、これに伴い美観も向上する。
【００２８】
また、このように、リフレクタ３１とインナーレンズ３３とを組み合わせたことで、前記光射出口３１ａ、反射／直射レンズ３５など、照明灯器としての機能に直接関与しない部分が、前記インナーレンズ３３により、上方から見る状態では覆われるものとなるので、観視者に違和感も生じさせないものとなる。
【００２９】
そして、上記光源３２、リフレクタ３１、インナーレンズ３３、ハーフミラー３４など発光部３とハーフミラー３４、透明カバー４を組立てる状態を示すものが図４であり、このようにして、本発明の照明灯器１は完成される。
【図面の簡単な説明】
【００３０】
【図１】本発明に係る照明灯器の実施形態を示す断面図である。
【図２】同じく本発明に係る照明灯器の要部であるリフレクタを示す斜視図である。
【図３】同じ照明灯器のリフレクタとインナーレンズとを組合わせた状態を示す斜視図である。
【図４】本発明に係る照明灯器の組立状態を示す説明図である。
【図５】従来例を示す説明図である。
【符号の説明】
【００３１】
１…照明灯器
２…支柱
３…発光部
３１…リフレクタ
３１ａ…光射出口
３１ｂ…装飾模様部
３２…光源
３３…インナーレンズ
３３ａ…レンズカット
３３ｂ…取付脚部
３４…ハーフミラー
３５…反射／直射レンズ
４…透明カバー
４ａ…頂面
【図１】
0004599283.tif 000002
【図２】
0004599283.tif 000003
【図３】
0004599283.tif 000004
【図４】
0004599283.tif 000005
【図５】
0004599283.tif 000006